【手続補正書】
【提出日】平成17年9月7日(2005.9.7)
【手続補正１】
【補正対象書類名】明細書
【補正対象項目名】特許請求の範囲
【補正方法】変更
【補正の内容】
【特許請求の範囲】
【請求項１】
遊技球が入球可能な作動口と、
前記作動口に遊技球が入球することに基づき、表示部において図柄の可変表示を行う可変表示装置と、
第１の状態と、当該第１の状態と比較して遊技球の入球しやすい第２の状態とで切換可能な可変入賞装置とを備え、
前記作動口に遊技球が入球することに基づき、抽選を行い、その抽選結果が特定の条件を満たす場合に、前記可変表示装置の前記表示部において特定の当たり図柄を停止表示し、第１の状態とされていた前記可変入賞装置を第２の状態とし、その後第１の状態とする特別遊技状態を発生させる遊技機において、
前記特別遊技状態が発生する場合に、ラウンドカウンタのカウント値を初期値に設定する初期値設定手段と、
前記可変入賞装置が第２の状態とされる度に、前記ラウンドカウンタのカウント値を更新するカウント値更新手段と、
前記カウント値が所定値に達した場合に、第２の状態から第１の状態となった前記可変入賞装置を第２の状態とすることなく前記特別遊技状態を終了させる第１の特別遊技状態終了手段と、
第２の状態から第１の状態となった前記可変入賞装置を再び第２の状態とするか否かの判定を、所定の確率で選択決定により行う判定手段と、
前記判定手段により前記可変入賞装置を再び第２の状態とすると判定された場合には、第２の状態から第１の状態となった前記可変入賞装置を再び第２の状態とする状態切換手段と、
前記判定手段により前記可変入賞装置を再び第２の状態としないと判定された場合には、第２の状態から第１の状態となった前記可変入賞装置を第２の状態とすることなく前記特別遊技状態を終了させる第２の特別遊技状態終了手段と、
前記判定手段の判定結果に基づいて、前記可変入賞装置を再び第２の状態とするか否かを判定の度に報知する報知装置とを設けたことを特徴とする遊技機。
【請求項２】
所定時間毎にカウント値が更新される決定カウンタを備え、
前記判定手段は、第２の状態となっている前記可変入賞装置への遊技球の入球検出に基づき読み出された前記決定カウンタのカウント値が所定値であるか否かにより、
第２の状態から第１の状態となった前記可変入賞装置を再び第２の状態とするか否かを判定することを特徴とする請求項１に記載の遊技機。
【請求項３】
前記可変表示装置の前記表示部において停止表示された特定の当たり図柄が、特別な図柄である場合には、確実に前記カウント値が所定値に達するまで、前記可変入賞装置を第２の状態とすることが繰り返し行われることを特徴とする請求項１又は２に記載の遊技機。
【手続補正２】
【補正対象書類名】明細書
【補正対象項目名】０００９
【補正方法】変更
【補正の内容】
【０００９】
【課題を解決するための手段】
上記の目的を達成するため、請求項１に記載の発明においては、遊技球が入球可能な作動口と、前記作動口に遊技球が入球することに基づき、表示部において図柄の可変表示を行う可変表示装置と、第１の状態と、当該第１の状態と比較して遊技球の入球しやすい第２の状態とで切換可能な可変入賞装置とを備え、
前記作動口に遊技球が入球することに基づき、抽選を行い、その抽選結果が特定の条件を満たす場合に、前記可変表示装置の前記表示部において特定の当たり図柄を停止表示し、第１の状態とされていた前記可変入賞装置を第２の状態とし、その後第１の状態とする特別遊技状態を発生させる遊技機において、
前記特別遊技状態が発生する場合に、ラウンドカウンタのカウント値を初期値に設定する初期値設定手段と、
前記可変入賞装置が第２の状態とされる度に、前記ラウンドカウンタのカウント値を更新するカウント値更新手段と、
前記カウント値が所定値に達した場合に、第２の状態から第１の状態となった前記可変入賞装置を第２の状態とすることなく前記特別遊技状態を終了させる第１の特別遊技状態終了手段と、
第２の状態から第１の状態となった前記可変入賞装置を再び第２の状態とするか否かの判定を、所定の確率で選択決定により行う判定手段と、
前記判定手段により前記可変入賞装置を再び第２の状態とすると判定された場合には、第２の状態から第１の状態となった前記可変入賞装置を再び第２の状態とする状態切換手段と、
前記判定手段により前記可変入賞装置を再び第２の状態としないと判定された場合には、第２の状態から第１の状態となった前記可変入賞装置を第２の状態とすることなく前記特別遊技状態を終了させる第２の特別遊技状態終了手段と、
前記判定手段の判定結果に基づいて、前記可変入賞装置を再び第２の状態とするか否かを判定の度に報知する報知装置とを設けたことをその要旨としている。
【手続補正３】
【補正対象書類名】明細書
【補正対象項目名】００１１
【補正方法】変更
【補正の内容】
【００１１】
また、請求項２に記載の発明では、請求項１に記載の遊技機において、所定時間毎にカウント値が更新される決定カウンタを備え、前記判定手段は、第２の状態となっている前記可変入賞装置への遊技球の入球検出に基づき読み出された前記決定カウンタのカウント値が所定値であるか否かにより、第２の状態から第１の状態となった前記可変入賞装置を再び第２の状態とするか否かを判定することをその要旨としている。
【手続補正４】
【補正対象書類名】明細書
【補正対象項目名】００１２
【補正方法】変更
【補正の内容】
【００１２】
さらに、請求項３に記載の発明では、請求項１又は２に記載の遊技機において、前記可変表示装置の前記表示部において停止表示された特定の当たり図柄が、特別な図柄である場合には、確実に前記カウント値が所定値に達するまで、前記可変入賞装置を第２の状態とすることが繰り返し行われることをその要旨としている。
【手続補正５】
【補正対象書類名】明細書
【補正対象項目名】００１４
【補正方法】変更
【補正の内容】
【００１４】
さらに、本発明の遊技機では、作動口に遊技球が入球することに基づき、抽選が行われ、その抽選結果が特定の条件を満たす場合に、可変表示装置の表示部において特定の当たり図柄が停止表示され、第１の状態とされていた可変入賞装置を第２の状態とし、その後第１の状態とする特別遊技状態が発生させられる。前記特別遊技状態が発生する場合に、初期値設定手段によりラウンドカウンタのカウント値が初期値に設定される。また、可変入賞装置が第２の状態とされる度に、前記ラウンドカウンタのカウント値がカウント値更新手段により更新される。前記カウント値が所定値に達した場合には、第２の状態から第１の状態となった前記可変入賞装置を第２の状態とすることなく第１の特別遊技状態終了手段によって特別遊技状態が終了させられる。また、第２の状態から第１の状態となった前記可変入賞装置を再び第２の状態とするか否かの判定が、判定手段によって、所定の確率で選択決定により行われる。判定手段により前記可変入賞装置を再び第２の状態とすると判定された場合には、第２の状態から第１の状態となった前記可変入賞装置が状態切換手段により再び第２の状態とされる。また、判定手段により前記可変入賞装置を再び第２の状態としないと判定された場合には、第２の状態から第１の状態となった前記可変入賞装置を第２の状態とすることなく第２の特別遊技状態終了手段により特別遊技状態が終了させられる。また、前記判定手段の判定結果に基づいて、前記可変入賞装置を再び第２の状態とするか否かが報知装置によって判定の度に報知される。
【手続補正６】
【補正対象書類名】明細書
【補正対象項目名】００１５
【補正方法】変更
【補正の内容】
【００１５】
さて、本発明では、前記可変入賞装置が再び前記第２の状態をとるか否かの判定が判定手段によって所定の確率で選択決定により行われ、判定の度に可変入賞装置を再び第２の状態とするか否かが報知装置によって報知される。従って、遊技者は、報知装置に対し、はらはらどきどきしながら注意を払うことになる。また、結果的に再び前記可変入賞装置が第２の状態をとらない旨が報知されたとしても、それはあくまでも内部的に判定された結果に基づくものであって、運が悪かったと容易にあきらめることができる。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】